(57)【要約】【課題】取り扱いの容易化を図る。【解決手段】取付基盤６が上横木１０４および下横木１０５に個別に取り付けられた状態において、固定枠６２が上側の取付基盤６と下側の取付基盤６との間に挿入されて後側に押し込まれ、閂棒２０と固定用孔６５とが対応すると、下側の閂棒２０がばね力で取付基盤６から上方に突出して固定枠６２における下側の固定用孔６５に嵌め込まれ、上側の閂棒２０がばね力で取付基盤６から下方に突出して固定枠６２における上側の固定用孔６５に嵌め込まれることによって、閂棒２０が固定枠６２を移動しようとする前後方向に対して障壁となるように閂として作用し、遊技機が遊技機設置構造体１０３に前後方向に移動しないように取り付けられる。【選択図】図１１
2007167355.tif 000002
【特許請求の範囲】
【請求項１】
遊技機を遊技店の遊技機設置構造体に取り付けるための遊技機固定装置であって、遊技機枠の天壁または底壁に設けられた固定用孔と、遊技機枠の天壁または底壁に対応して遊技機設置構造体の上横木または下横木に取り付けられる取付構造体と、上横木または下横木よりも後側に位置するように取付構造体に閂機構とを備え、取付構造体が閂逃避孔を備え、閂機構が、閂逃避孔を経由して取付構造体に対し昇降可能な閂棒と、閂棒を上方に付勢するばね力を閂棒に与える閂ばねとを備え、閂棒が閂ばねによって取付構造体より固定用孔に嵌め込まれることによって、遊技機枠が取付構造体に前後方向に移動しないように固定されることを特徴とする遊技機固定装置。
【請求項２】
閂機構には捕捉機構が設けられ、捕捉機構は取付構造体からへこむ方向に押された位置で閂棒を捕捉しかつその状態において閂棒にさらにへこむ方向に押されると閂棒への捕捉を解除することを特徴とする請求項１記載の遊技機固定装置。
【請求項３】
取付構造体は、上横木または下横木に取り付けられる取付基盤と、取付基盤の後縁部から上方に突出する後壁と、取付基盤の左縁部から上方に突出する左壁と、取付基盤の右縁部から上方に突出する右壁とを備え、取付基盤と後壁と左壁および右壁で囲まれた前側および上部に開口されかつ遊技機枠の天壁または底壁を前側から滑走させて格納する部屋としての枠収容部を備えたことを特徴とする請求項１記載の遊技機固定装置。
【請求項４】
取付基盤には釘またはねじ釘で取付基盤を上横木または下横木に取り付けるための取付孔が設けられたことを特徴とする請求項１記載の遊技機固定装置。
【請求項５】
取付基盤には取付基盤の前縁部から下方に突出する前壁が設けられたことを特徴とする請求項１記載の遊技機固定装置。
【発明の詳細な説明】
【技術分野】
【０００１】
本発明は、取り扱いが容易な遊技機固定装置に関する。
【背景技術】
【０００２】
遊技機を遊技店の遊技機設置構造体に取り付けるための遊技機固定装置は、固定具が遊技機枠に上下部に設けられ、遊技機枠が遊技機設置構造体の上横木と下横木との間に挿入され、遊技機枠が遊技機設置構造体の下横木の上に搭載された後、遊技機枠の上部に設けられた固定具が上横木に固定され、遊技機枠の下部に設けられた固定具が下横木に固定されることによって、遊技機を遊技機設置構造体に固定するものである。しかしながら、固定具を固定した痕跡である固定痕が遊技機設置構造体に付くという欠点がある。しかも、固定痕は、遊技機枠が新しいものに交換されるたびに異なる場所に付くので、遊技機枠が新しいものに交換される行為が繰り返されると、遊技機枠が遊技機設置構造体に適切に固定されなくなるという欠点がある。また、固定具が遊技機枠に設けられているので、遊技機枠が新しいものに交換される場合、固定具が共用できないという不都合もある。
【特許文献１】特開２００４−２９０４４８号公報
【特許文献２】特開２００４−２０８８２６号公報
【特許文献３】特開２００４−９７２８４号公報
【発明の開示】
【発明が解決しようとする課題】
【０００３】
発明が解決しようとする問題点は、遊技機固定装置の取り扱いが面倒であるという点である。
【課題を解決するための手段】
【０００４】
本発明に係る遊技機固定装置は、遊技機を遊技店の遊技機設置構造体に取り付けるための遊技機固定装置であって、遊技機枠の天壁または底壁に設けられた固定用孔と、遊技機枠の天壁または底壁に対応して遊技機設置構造体の上横木または下横木に取り付けられる取付構造体と、上横木または下横木よりも後側に位置するように取付構造体に閂機構とを備え、取付構造体が閂逃避孔を備え、閂機構が、閂逃避孔を経由して取付構造体に対し昇降可能な閂棒と、閂棒を上方に付勢するばね力を閂棒に与える閂ばねとを備え、閂棒が閂ばねによって取付構造体より固定用孔に嵌め込まれることによって、遊技機枠が取付構造体に前後方向に移動しないように固定されることを最も主要な特徴とする。閂機構には捕捉機構が設けられ、捕捉機構は取付構造体からへこむように押された位置で閂棒を捕捉しかつその状態において閂棒にさらにへこます方向の力が作用すると閂棒への捕捉を解除したり、または、取付構造体は、上横木または下横木に取り付けられる取付基盤と、取付基盤の後縁部から上方に突出する後壁と、取付基盤の左縁部から上方に垂直に突出する左壁と、取付基盤の右縁部から上方に突出する右壁とを備え、取付基盤と後壁と左壁および右壁で囲まれた前側および上部に開口されかつ遊技機枠の天壁または底壁を前側から滑走させて格納する部屋としての枠収容部を備えたり、または、取付基盤には釘またはねじ釘で取付基盤を上横木または下横木に取り付けるための取付孔が設けられたり、取付基盤には取付基盤の前縁部から下方に突出する前壁が設けられたりしてもよい。
【発明の効果】
【０００５】
本発明に係る遊技機固定装置は、閂棒が閂ばねによって取付構造体より固定用孔に嵌め込まれ、遊技機枠が取付構造体に前後方向に移動しないように固定され、遊技機枠が遊技機固定装置で遊技機設置構造体に取り付けられた場合、閂棒が遊技機枠を移動しようとする前後方向に対して障壁となるように閂として作用するので、遊技機枠が遊技機設置構造体に適切に取り付けられるという利点があり、閂機構が上横木または下横木よりも後側に位置して取付構造体に設けられるので、遊技機固定装置を設置するめの切欠や貫通孔などを形成するための細工が不要であるという利点がある。閂機構には捕捉機構が設けられ、捕捉機構は取付構造体からへこむように押された位置で閂棒を捕捉しかつその状態において閂棒にさらにへこます方向の力が作用すると閂棒への捕捉を解除するようにすれば、遊技機枠を取付構造体に対し前側から後側に移動する場合、閂棒が邪魔にならず、固定用孔と閂棒との位置を適切に合わせることができる。枠収容部が取付基盤と後壁と左壁および右壁で囲まれた前側および上部に開口されかつ遊技機枠の天壁または底壁を前側から滑走させて格納する部屋として構成されれば、取付構造体の構造が強固であるうえ、遊技機枠の遊技機固定装置への設置が容易であるという利点がある。取付孔が取付基盤に設けられれば、遊技機固定装置が上横木または下横木に釘またはねじ釘で容易に取り付けることができるという利点がある。前壁が取付基盤の前縁部から下方に突出して設けられれば、遊技機固定装置が遊技機設置構造体の上横木または下横木に取り付けられる場合、前壁の裏面が上横木の前面または下横木の前面に下に突き当てられることによって、取付構造体の上横木または下横木への取付位置が正確に決まるという利点がある。
【発明を実施するための最良の形態】
【０００６】
図１乃至図１１は、発明を実施するための最良の形態である。図１は、遊技機固定装置１を分解して示す。図２は、捕捉機構４を分解して示す。図３は、捕捉機構４を閂筐体１９に挿入した形態を示す。図４は、閂棒２０および閂ばね２１を閂筐体１９に挿入した形態を示す。図５は、閂機構３を取付構造体２に取り付けた形態を示す。図６は、閂棒２０がへこまされた初期状態を示す。図７は、フォロア凸部５２が位置保持カム部３３ｂに係留された形態を示す。図８は、閂棒２０がさらにへこまされた形態を示す。図９は、遊技機固定装置１および遊技機枠６１を分解して示す。図１０は、前扉６３を開いた遊技機枠６１を示す。図１１のａ図は、遊技機が上側の遊技機固定装置１と下側の遊技機固定装置１との間に挿入された形態を示す。図１１のｂ図は、遊技機が遊技機固定装置１で遊技機設置構造体に取り付けられた形態を示す。本明細書において、「前」、「表」、「後」、「裏」、「左」、「右」、「上」、「下」の方向は、図９の状態に遊技機固定装置１および遊技機枠６１を置いて矢印Ａで示す前側から見た場合に特定される方向である。「前」と「表」とは、同じ方向である。「後」と「裏」とは、同じ方向である。
【０００７】
図１を参照し、遊技機固定装置１の構造について説明する。図１において、遊技機固定装置１は、取付構造体２、閂機構３、捕捉機構４、遊技機の固定用孔６５（図９参照）を備える。取付構造体２は、取付基盤６、前壁７、後壁８、左壁９、右壁１０、閂逃避孔１１、閂取付部１２、取付孔１３を備える。取付基盤６は、方形な板状である。前壁７は、取付基盤６の前縁部から下方に鉛直に突出する。後壁８は、取付基盤６の後縁部から上方に垂直に突出する。左壁９は、取付基盤６の左縁部から上方に垂直に突出する。右壁１０は、取付基盤６の右縁部から上方に垂直に突出する。よって、取付基盤６と後壁８と左壁９および右壁１０が、枠収容部１４を構成する。枠収容部１４は、取付基盤６と後壁８と左壁９および右壁１０で囲まれ、前側および上部に開口された形状であって、遊技機枠の天壁または底壁を前側から滑走させて格納する部屋である。閂逃避孔１１は、閂機構３の閂棒２０を昇降可能に貫通させるものであって、取付基盤６に、上下方向への貫通孔として、左右に分かれて設けられる。
【０００８】
閂取付部１２は、閂機構３の閂筐体１９を取り付けるものであって、１つの閂逃避孔１１の左右に分かれて設けられ、頭部収容部１５、スタッドボルト１６、ナット１７により構成される。頭部収容部１５は、取付基盤６の内面（枠収容部１４の側に位置する面）から外面の側への窪みとして設けられる。スタッドボルト１６の雄ねじ部が取付基盤６の上方から頭部収容部１５の底部に形成された図外の貫通孔を経由して取付基盤６の下方に突出され、スタッドボルト１６の頭部が頭部収容部１５の底部に接触して溶接で結合される。これによって、スタッドボルト１６の頭部が頭部収容部１５に配置されて取付基盤６の内面よりも上方に突出しないので、遊技機枠の天壁または底壁が枠収容部１４に格納される場合、スタッドボルト１６の頭部が天壁または底壁に接触せず邪魔になることがない。
【０００９】
閂機構３は、閂筐体１９、閂棒２０、閂ばね２１を備える。閂筐体１９は、上下方向に貫通する閂収容部２２を構成する箱形であって、上棚２３、下棚２４、取付部２５を備える。上棚２３は、閂収容部２２における上下方向の中間部に位置し、閂収容部２２を囲む周壁の内面から閂収容部２２の側に突出する。上棚２３よりも上部の閂収容部２２は、閂棒２０および閂ばね２１が格納される部屋になる。下棚２４は、閂収容部２２の下部に位置し、閂収容部２２を囲む周壁の内面から閂収容部２２の側に突出する。上棚２３および下棚２４の間の閂収容部２２は、閂棒２０および捕捉機構４が格納される部屋になる。取付部２５には、ねじ挿入孔２６が、上下方向への貫通孔として設けられる。閂棒２０は、受止部２７および被捕捉部２８を備える。受止部２７は、閂棒２０における上下方向の中間部に位置し、閂棒２０から外側に突出するフランジとして構成される。被捕捉部２８は、捕捉機構４で捕捉されるものであって、閂棒２０の下部に位置し、閂棒２０から外側に突出するフックとして構成される。閂ばね２１は、被捕捉部２８を挿入させるものの受止部２７に衝突する内径を有するコイルスプリングにより構成される。
【００１０】
図２を参照し、捕捉機構４の構造について説明する。図２のａ図に示すように、捕捉筐体３０、捕捉構造体３１、捕捉ばね３２、カム３３、フォロア構造体３４を備える。捕捉筐体３０は、上方に開口する捕捉収容部３６を構成する角箱形であって、カム３３、装着部３７、係留部３８、ガイド部３９を備える。装着部３７は、捕捉筐体３０の上部に、捕捉筐体３０から横方向に張り出した筒状に設けられる。係留部３８は、捕捉筐体３０の左壁および右壁に片持ち梁のように形成された弾性片により構成され、上方に行くにしたがって捕捉筐体３０から左右方向の外側に突出する。ガイド部３９は、捕捉筐体３０の後壁に、縦長な貫通孔として設けられる。カム３３は、捕捉筐体３０の前壁に、当該前壁から捕捉収容部３６に突出する突起として設けられ、突起の上面による下降案内カム部３３ａと、突起の下面における窪みとしての位置保持カム部３３ｂと、突起の下面による上昇案内カム部３３ｃとを備える。
【００１１】
捕捉構造体３１は、捕捉躯体４２、捕捉腕４３、被ガイド部４４、フォロア案内部４５、ばね収容部４６を備える。捕捉躯体４２は、捕捉収容部３６に昇降可能に収容される角棒により構成される。捕捉腕４３は、捕捉躯体４２の上部から上方に突出する一対であって、捕捉躯体４２の上部から上方に行くにしたがって相対峙する方向の外側に広がる。捕捉腕４３の上部には、鉤４７が捕捉腕４３の相対峙する方向に突出する。被ガイド部４４は、捕捉躯体４２の後面に突起として構成される。フォロア案内部４５は、捕捉躯体４２に前後方向への貫通孔として設けられる。フォロア案内部４５は、捕捉躯体４２の前側から見た場合、上部が平坦面４８で下部が半円形となった、異形孔として構成される。ばね収容部４６は、捕捉躯体４２の下面とフォロア案内部４５の半円形な下部とに貫通する貫通孔として、捕捉躯体４２に設けられる。
【００１２】
捕捉ばね３２は、捕捉躯体４２の下方からばね収容部４６に格納され、コイルスプリングにより構成される。フォロア構造体３４は、カムフォロアを構成し、捕捉腕４３が図１の被捕捉部２８を掴み、閂棒２０が閂筐体１９の内部に進入した下部位置を保持するように、カム３３に接触して補助するように動くものであって、フォロア基盤５１、フォロア凸部５２、復帰凸部５３を備える。フォロア基盤５１は、直線的な棒として構成される。フォロア凸部５２は、フォロア基盤５１の下部に円柱形に設けられる。復帰凸部５３は、フォロア基盤５１の上部に設けられる。フォロア凸部５２のフォロア基盤５１から突出する方向と、復帰凸部５３のフォロア基盤５１から突出する方向とは、相反する方向である。復帰凸部５３は、上部が平坦面５４で下部が半円形となった、異形突起として構成される。図２のｂ図に示すように、復帰凸部５３の平坦面５４を水平に置かれた面と仮定し、平坦面５４と直交する垂線をＬ１とすると、平坦面５４はフォロア基盤５１の上下方向に延びる中心線Ｌ２と斜めに交差する。垂線Ｌ１と中心線Ｌ２との間には、鋭角なる挟角θ１と、鈍角なる挟角θ２とが形成される。挟角θ１＋挟角θ２＝１８０度である。
【００１３】
捕捉機構４の組立方について説明する。捕捉ばね３２が捕捉筐体３０の上部から捕捉収容部３６に挿入され、捕捉ばね３２の下端部が捕捉収容部３６の底部から上方に突出した図外の支柱に外嵌装着される。復帰凸部５３が捕捉筐体３０におけるガイド部３９の設けられた側壁に対向する１つの側壁の外側からフォロア案内部４５に挿入され、フォロア基盤５１が捕捉筐体３０におけるガイド部３９の設けられた側壁に対向する１つの側壁に接触され、フォロア凸部５２が下部に配置されかつ捕捉筐体３０におけるガイド部３９の設けられた側壁に対向する１つの側壁から離れる方向に配置され、フォロア構造体３４が捕捉躯体４２の前側に取り付けられる。捕捉腕４３が上方に向けられ、捕捉躯体４２が捕捉筐体３０の上方から装着部３７の内部を経由して捕捉収容部３６に挿入され、捕捉ばね３２の上端部がばね収容部４６に格納され、被ガイド部４４が捕捉収容部３６からガイド部３９に挿入される。これによって、捕捉構造体３１と捕捉ばね３２およびフォロア構造体３４が捕捉筐体３０の内部に格納され、捕捉ばね３２が復帰凸部５３を下方から上方に押し上げるように付勢し、復帰凸部５３の平坦面５４がフォロア案内部４５の平坦面４８に重なり合うように全面的に接触し、フォロア凸部５２が捕捉筐体３０の上下方向に延びる中心線（図２のｂ図の垂線Ｌ１に相当する）よりも右側に配置され、フォロア凸部５２がカム３３の下降案内カム部３３ａよりも上方に位置して下降案内カム部３３ａと対向し、捕捉機構４が図１に示す形状に構成される。
【００１４】
図３乃至図５を参照し、遊技機固定装置１の組立方について説明する。図３において、捕捉機構４が仮想線で示すように閂筐体１９の上方から閂収容部２２に挿入されて下方へと押されると、捕捉筐体３０の下部が閂収容部２２を通過して閂筐体１９よりも下方に突出し、係留部３８の上端が閂筐体１９の下棚２４よりも下方に突出し、係留部３８が自身の弾性で外側に広がり、係留部３８の上端が下棚２４の下面と対向し、装着部３７および捕捉腕４３が上棚２３と下棚２４との間の収容部に格納される。これによって、装着部３７および係留部３８が下棚２４を上下から挟む格好となり、捕捉機構４が閂筐体１９の下部に取り付けられる。次に、図４において、閂ばね２１が閂筐体１９の上方から収容部に挿入され、閂ばね２１の下端部が上棚２３の上に搭載される。閂棒２０の被捕捉部２８が閂筐体１９の側に向けられ、閂棒２０が閂筐体１９の上方から閂ばね２１の内部に挿入され、受止部２７が閂ばね２１の上端部に搭載される。最後に、図５において、閂棒２０における閂筐体１９より上方に突出する上部が取付構造体２の下方から閂逃避孔１１に挿入され、閂筐体１９のねじ挿入孔２６がスタッドボルト１６のねじ部に下方から嵌め込まれ、ナット１７がスタッドボルト１６のねじ部に下方から装着され、捕捉筐体３０の取付足がナット１７と取付基盤６とで締結され、閂ばね２１で押し上げられた受止部２７が取付基盤６の下面で受け止められ、閂棒２０における受止部２７よりも上方に位置する上部が閂逃避孔１１を貫通して取付基盤６の上面よりも上方に突出する。これによって、下部に捕捉機構４を有する閂機構３が取付構造体２の下部に左右に分かれて取り付けられ、遊技機固定装置１の組立が完成する。
【００１５】
図５乃至図８を参照し、遊技機固定装置１の動作について説明する。図５において、閂棒２０が人によって矢印Ｘ１で示すへこむ方向に押されると、被捕捉部２８が捕捉躯体４２を下方に押し、被ガイド部４４がガイド部３９で直線的に案内され、捕捉躯体４２が捕捉ばね３２を圧縮しつつフォロア構造体３４を下方に押す。これによって、図６に示すように、フォロア凸部５２が下降案内カム部３３ａを矢印Ｘ２で示す方向に滑走し、フォロア構造体３４が復帰凸部５３を中心として左側に回転する。引き続き、図７に示すように、閂棒２０の矢印Ｘ１で示す方向への下降が進行し、捕捉躯体４２の下降が進行すると、捕捉腕４３が装着部３７に接触しつつ下降して互いに相対峙する方向（内側）に閉じ、鉤４７が被捕捉部２８を抱え持つように捕捉し、フォロア凸部５２が下降案内カム部３３ａを左側に通過するのに伴い、復帰凸部５３が捕捉ばね３２からの突き上げる力によって矢印Ｘ３で示す方向に回転し、フォロア凸部５２が位置保持カム部３３ｂに到達する。この状態において、人が閂棒２０から押し下げる力を解除すると、捕捉構造体３１が閂棒２０を捕捉したまま上昇しないようにその位置に停止し、閂棒２０の上部が取付基盤６の上面よりも上方に突出しない位置に保持される。
【００１６】
次に、図８において、閂棒２０が人によって矢印Ｘ１で示すへこむ方向にさらに押されると、捕捉構造体３１も下降し、フォロア凸部５２が位置保持カム部３３ｂを右側に通過するのに伴い、復帰凸部５３が捕捉ばね３２からの突き上げる力によって矢印Ｘ３で示す方向にさらに回転し、フォロア凸部５２が上昇案内カム部３３ｃに到達する。その後、人が閂棒２０から矢印Ｘ１で示すへこむ方向への力を解除すると、閂棒２０および捕捉構造体３１が閂ばね２１および捕捉ばね３２からの突き上げる力によって上昇し、フォロア凸部５２が上昇案内カム部３３ｃを矢印Ｘ４で示す方向に滑走する。さらに、フォロア凸部５２が上昇案内カム部３３ｃを右側に通過するのに伴い、復帰凸部５３が捕捉ばね３２からの突き上げる力によって矢印Ｘ３で示す方向の逆方向に回転し、閂棒２０および捕捉構造体３１が図５に示す初期の形態に戻り、鉤４７による被捕捉部２８の捕捉が解除される。
【００１７】
図５乃至図８では、遊技機固定装置１が図１１のａ図に示すように遊技機設置構造体１０３の下横木１０５に取り付けた場合を想定して説明した。これに対し、遊技機固定装置１が図１１のａ図に示すように遊技機設置構造体１０３の上横木１０４に取り付けた場合には、図５乃至図８での説明を矢印Ｘ１が上向きになるように解釈することで、閂機構３や捕捉機構４の動きを適切に理解できるであろう。
【００１８】
図９乃至図１１を参照し、遊技機固定装置１によって遊技機を図１０の遊技機設置構造体１０３に取り付ける場合について説明する。遊技機としては、メダル式のスロットマシンを例示する。図９において、遊技機の遊技機枠６１は、固定枠６２の前側に前扉６３を開閉可能に備える。固定枠６２は、遊技機設置構造体１０３に取り付けるための筐体とも呼ばれ、前側にだけ開口した四角な箱形の形状である。固定枠６２の左壁および右壁には、取手部６４が遊技機枠６１を運搬する場合に手を掛けるための孔として設けられる。固定枠６２の天壁および底壁には、固定用孔６５が上下方向への貫通孔として設けられる。前扉６３は、左側に位置する図外のヒンジを中心とし、固定枠６２の前側で前側に開かれかつ後側に閉じられるように、片開き可能である。前扉６３には、状況表示部６６、図柄表示部６７、情報表示部６８、操作台６９、機種表示部７０、受皿７１が、上から下に順に設けられる。状況表示部６６は、遊技の状況に関する情報を、遊技者に知らせるために表示するものである。図柄表示部６７は、図柄表示部６７の内側に配置された図柄表示装置７２の図柄を遊技者に見せる光透過性合成樹脂により形成される。図柄表示装置７２は、遊技機枠６１の内部または前扉６３の内面に取り付けられる。情報表示部６８は、掛数やメダルの予納枚数および当たりの結果の賞として払い出されるメダル枚数などの状況を、遊技者に知らせるために、数値として電気的に表示するものである。操作台６９は、遊技者により操作される部品を集中的に設けるものである。機種表示部７０は、スロットマシンの種類や製造者名および販売の許可されたことを示す証紙を、遊技者に知らせるために表示するものである。受皿７１は、遊技媒体としてのメダルを受ける部分である。受皿７１の左側には灰皿７３が併設される。
【００１９】
操作台６９の外面の１つである上面には、掛数操作部７４、精算操作部７５、最大掛数操作部７６、メダル投入部７７が、左から右に順に設けられる。掛数操作部７４は、１回の遊技に対する掛数を設定するために、遊技者が操作するものである。精算操作部７５は、メダル投入部７７から遊技用や予納用として遊技機枠６１の内部に投入されたメダルを受皿７１に電気的に返却させるために、遊技者が操作するものである。メダル投入部７７は、遊技用や予納用としてのメダルを遊技者が遊技機枠６１の内部に投入するためのものである。最大掛数操作部７６は、１回の遊技に対する掛数を最大に設定するために、遊技者が操作するものである。操作台６９の外面の１つである前面には、遊技開始操作部７８、３個の図柄停止操作部７９、返却操作部９０、開閉錠９１が、左から右に順に設けられる。遊技開始操作部７８は、スロットマシンの１回の遊技開始として、図柄表示装置７２の図柄の変動を開始させるために、遊技者が操作するものである。図柄停止操作部７９は、スロットマシンの１回の遊技停止として、図柄表示装置７２の変動している図柄を個別に停止させるために、遊技者が操作するものである。返却操作部９０は、メダル投入部７７から遊技機枠６１の内部に投入されて図１０のメダル選別機１０１にひっかかったメダルを受皿７１に機械的に返却させるために、遊技者が操作するものである。開閉錠９１は、前扉６３を開閉するために、遊技店の店員が操作するものである。
【００２０】
図１０に示すように、前扉６３の左側部が固定枠６２の左側部にヒンジ９２で連結され、前扉６３がヒンジ９２を中心として前側横方向に片開きされる。前扉６３の右側部には、係合部９３が設けられる。店員が前扉６３を矢印Ｘ５で示す後側に押して閉じた場合、係合部９３が固定枠６２の掛止部９４に係合して前扉６３を開閉不能に支持する。その状態において、店員が図９の開閉錠９１に図外の鍵を挿入して開閉錠９１を操作すると、係合部９３が掛止部９４から解除される。そして、店員が前扉６３を矢印Ｘ６で示す前側に引くと、前扉６３が開放される。固定枠６２の前側に開口した内部空間には、棚９５の上には図柄表示装置７２や図外の制御装置が設けられ、底壁の上に電源装置９６、ホッパー９７、予備箱９８が左から右に順に設けられる。ホッパー９７は、当たりの結果の賞として払い出すメダルを貯蔵するものであって、メダルを払い出すための図外の払出機を内蔵する。払出機により払い出されたメダルは、ホッパー９７に形成された払出口９９から前扉６３の裏面に設けられた受口１００を経由して受皿７１に払い出される。予備箱９８は、ホッパー９７に補給するメダルを予備的に入れておくものである。
【００２１】
開放された前扉６３の裏面には、メダル選別機１０１や図外のメダル検出機構およびメダル返却樋１０２が設けられる。メダル選別機１０１は、図９のメダル投入部７７から投入されたメダルをメダルの直径で正常か異常かを選別し、直径の正常なメダルだけをメダル検出機構に送り、正常のものより直径の大きなメダルをメダル検出機構に送らないようにひっかけて留置し、正常のものより直径の小さなメダルをメダル検出機構に送らないように下方のメダル返却樋１０２に落下させるものである。メダル検出機構は、メダル選別機１０１から送られてきたメダルを電気的に検出したメダル検出信号を上記制御装置に出力する。制御装置は、メダル検出機構から入力されたメダル検出信号を投入メダル個数として電気的に計数（カウントアップ）し、カウントアップした値（カウントアップ値；計数値）を投入メダル個数としてメモリに記憶する。メダル返却樋１０２は、メダル選別機１０１から異常なメダルとして落下したメダルを受け取って受皿７１に排出する。メダル返却樋１０２の裏面には受口１００が設けられる。図１０は、遊技機枠６１を遊技機設置構造体１０３に取り付けるために、ホッパー９７、予備箱９８が固定枠６２から取り外された態様を示す。
【００２２】
遊技機枠６１を遊技機設置構造体１０３に取り付けるために、遊技機固定装置１が遊技機設置構造体１０３の上横木１０４および下横木１０５に取り付けられる。遊技機固定装置１が上横木１０４に取り付けられる場合、枠収容部１４が下方に開口されるように、取付基盤６の下面が上横木１０４の下面１０６の上に搭載され、取付構造体２が後側にずらされ、前壁７の裏面が上横木１０４の前面に突き当てられる。そして、釘１０７が取付構造体２の下方から取付孔１３を経由して上横木１０４に打ち込まれることによって、遊技機固定装置１が上横木１０４に固定され、閂機構３や捕捉機構４が上横木１０４よりも後側に配置される。遊技機固定装置１が下横木１０５に取り付けられる場合、枠収容部１４が上方に開口されるように、取付基盤６の下面が下横木１０５の上面１０８の上に搭載され、取付構造体２が後側にずらされ、前壁７の裏面が下横木１０５の前面に突き当てられる。そして、釘１０７が取付構造体２の上方から取付孔１３を経由して下横木１０５に打ち込まれることによって、遊技機固定装置１が下横木１０５に固定され、閂機構３や捕捉機構４が下横木１０５よりも後側に配置される。釘１０７はねじ釘でもよい。
【００２３】
図１１のａ図に示すように、遊技機固定装置１が遊技機設置構造体１０３に取り付けられ、上側の遊技機固定装置１においては閂棒２０が取付基盤６より上側に引っ込められ、下側の遊技機固定装置１においては閂棒２０が取付基盤６より下側に引っ込められる。この場合、図７に示すように、フォロア凸部５２が位置保持カム部３３ｂに到達し、捕捉構造体３１が閂棒２０を捕捉したまま上昇しないようにその位置に停止し、閂棒２０の上部が取付基盤６の上面よりも上方に突出しない位置に保持されている。その後、固定枠６２の前面開口が前側に向けられた状態となって、固定枠６２の底壁が下側の遊技機固定装置１の取付基盤６の上に載せられるように、固定枠６２が上側の取付基盤６と下側の取付基盤６との間に挿入され、固定枠６２の底壁が下側の遊技機固定装置１の取付基盤６の上に搭載される。この場合、図１０に示すように、ホッパー９７や予備箱９８が固定枠６２から少なくとも取り外されており、前扉６３が前側に開かれているかまたは固定枠６２から取り外されている。図１０のヒンジ９２における前扉６３に固定された扉側ヒンジが固定枠６２に固定された枠側ヒンジから取り外されることによって、前扉６３が固定枠６２から取り外される。
【００２４】
次に、図１１のｂ図に示すように、固定枠６２が後側に押し込まれ、閂棒２０と固定用孔６５とが対応した位置で、上記固定枠６２の後側への押し込みを停止する。そして、人が固定枠６２の前側から下側の閂棒２０を下方に押し下げた後に、当該下側の閂棒２０に対する押し下げを解除することによって、下側の閂棒２０が取付基盤６から上方に突出して下側の固定用孔６５に嵌め込まれる。また、人が固定枠６２の前側から上側の閂棒２０を上方に押し上げた後に、当該下側の閂棒２０に対する押し上げを解除することによって、上側の閂棒２０が取付基盤６から下方に突出して上側の固定用孔６５に嵌め込まれる。上記閂棒２０と固定用孔６５とが対応した場合、固定枠６２が遊技機固定装置１の後壁８に接触するようになっていれば、閂棒２０と固定用孔６５との対応する位置決めが容易になる。その後、ホッパー９７や予備箱９８が固定枠６２に格納され、前扉６３が閉じられるかまたは固定枠６２に取りつけられて閉じられる。これによって、遊技機の遊技機設置構造体１０３に適切に取り付けられる。
【００２５】
最良の形態によれば、固定枠６２が遊技機固定装置１で遊技機設置構造体１０３に取り付けられた場合、閂棒２０が固定枠６２を移動しようとする前後方向に対して障壁となるように閂として作用するので、固定枠６２が遊技機設置構造体１０３に適切に取り付けられるという利点がある。前壁７が取付基盤６に設けられているので、遊技機固定装置１が遊技機設置構造体１０３の上横木１０４または下横木１０５に取り付けられる場合、前壁７の裏面が上横木１０４の前面または下横木１０５の前面に下に突き当てられることによって、取付構造体２の上横木１０４または下横木１０５への取付位置が正確に決まるという利点がある。遊技機固定装置１が上横木１０４または下横木１０５に取り付けられた場合、閂機構３や捕捉機構４が上横木１０４または下横木１０５よりも後側に配置されるので、上横木１０４または下横木１０５に遊技機固定装置１を設置するめの切欠や貫通孔などを形成するための細工が不要であるという利点がある。取付孔１３が取付基盤に設けられているので、遊技機固定装置１が上横木１０４または下横木１０５に釘１０７またはねじ釘で容易に取り付けることができるという利点がある。取付構造体２は、上横木１０４または下横木１０５に取り付けられる取付基盤６と、取付基盤６の後縁部から上方に突出する後壁８と、取付基盤６の左縁部から上方に突出する左壁９と、取付基盤６の右縁部から上方に突出する右壁１０とを備え、取付基盤６と後壁８と左壁９および右壁１０で囲まれた前側および上部に開口されかつ遊技機枠６１における固定枠６２の天壁または底壁を前側から滑走させて格納する部屋としての枠収容部１４を備えているので、取付構造体２の構造が強固であるうえ、固定枠６２の遊技機固定装置１への設置が容易であるという利点がある。
【００２６】
図１１に示すように、遊技機固定装置１が上横木１０４や下横木１０５に取り付けられた場合、閂機構３や捕捉機構４が上横木１０４や下横木１０５よりも裏側に離れて配置されるように、閂機構３や捕捉機構４が取付基盤６に設けられているので、取付基盤６の前後方向の寸法が必然的に大きく設定されている。このため、固定枠６２の奥行が上横木１０４や下横木１０５の前後方向寸法よりも大きく構成されている場合であっても、固定枠６２の底壁が取付基盤６の上に全体的に搭載されることによって、固定枠６２が取付基盤６に安定に配置される。よって、遊技機設置構造体１０３における上横木１０４や下横木１０５の前後方向寸法をメダル式のスロットマシンに専用となるように大きく構成してもよいが、メダル式のスロットマシンがパチンコ遊技機に使用される上横木１０４や下横木１０５の前後方向寸法の狭い遊技機設置構造体１０３に適切に設置することができるという利点がある。遊技機設置構造体１０３における上横木１０４や下横木１０５の前後方向寸法をメダル式のスロットマシンに専用となるように大きく構成する場合は、上横木１０４や下横木１０５に閂機構３や捕捉機構４を逃げるための加工を行えばよい。
【産業上の利用可能性】
【００２７】
遊技機固定装置１を上横木１０４または下横木１０５の一方に使用し、遊技機固定装置１の使用されていない方は、固定枠６２を釘またはねじ釘またはそれら以外の固定具で取り付けてもよい。遊技機固定装置１で遊技機設置構造体１０３に取り付けられる遊技機枠６１としては、パチンコ遊技機の前後方向に貫通した方形な開口を囲む形状の外枠または本体枠と呼ばれるような固定枠であってもよい。閂棒２０が固定用孔６５に嵌め込まれた位置でも捕捉されるように、捕捉機構４を構成してもよい。その場合、カム３３に相当する上記嵌め込み位置での捕捉に必要なカムおよびカムフォロア構造体３４に相当するフォロア構造体を設けることは必要である。捕捉機構４を設けていない構造でもよい。この場合、取付構造体２および閂機構３が遊技機固定装置１を構成するので、閂棒２０が閂ばね
２１で取付基盤６の固定枠６２と対向する側の面より固定枠６２の側に突出するように付勢した構造である。
【００２８】
図１２は、異なる形態を示す。フォロア凸部５２が位置保持カム部３３ｂに係留した場合、図１２のａ図に示すように、閂棒２０の上部が取付基盤６よりも上方に突出してもよい。そして、固定枠６２が下側の取付基盤６の上を前側から後側に滑走するのに伴い閂棒２０の前側斜面に衝突することによって、固定枠６２が閂棒２０を下方に押し下げる。その後、図１２のｂ図に示すように、固定枠６２の前側から後側への滑走が進行すると、固定枠６２が閂棒２０の上に覆い被さる。このように固定枠６２が図１１のａ図からｂ図に移動する間において、フォロア凸部５２が位置保持カム部３３ｂから離脱して上昇案内カム部３３ｃに移動することによって、閂棒２０の上部が取付基盤６よりも下方にへこんだ後に上昇して図１１のｂ図に示すように固定用孔６５に嵌り合うように設定することは必要である。よって、固定枠６２を遊技機設置構造体１０３に取り付けられた遊技機固定装置１に取り付ける場合、ホッパー９７や予備箱９８を固定枠６２から取り外さなくてもよくなる。
【図面の簡単な説明】
【００２９】
【図１】遊技機固定装置の分解斜視図（最良の形態）。
【図２】捕捉機構の分解斜視図（最良の形態）。
【図３】閂機構と捕捉機構との組立断面図（最良の形態）。
【図４】閂機構と捕捉機構との組立断面図（最良の形態）。
【図５】取付構造体と閂機構との組立断面図（最良の形態）。
【図６】遊技機固定装置の作用説明図（最良の形態）。
【図７】遊技機固定装置の作用説明図（最良の形態）。
【図８】遊技機固定装置の作用説明図（最良の形態）。
【図９】遊技機固定装置の使い方を示す斜視図（最良の形態）。
【図１０】遊技機固定装置の使い方を示す斜視図（最良の形態）。
【図１１】遊技機固定装置の遊技機設置構造体への取付側面図（最良の形態）。
【図１２】遊技機固定装置の使い方を示す側面図（異なる形態）。
【符号の説明】
【００３０】
１      遊技機固定装置
２      取付構造体
３      閂機構
４      捕捉機構
６      取付基盤
７      前壁
８      後壁
９      左壁
１０    右壁
１１    閂逃避孔
１３    取付孔
１４    枠収容部
２０    閂棒
６１    遊技機枠
６２    固定枠
６５    固定用孔
１０３  遊技機設置構造体
１０４  上横木
１０５  下横木
【図１】
2007167355.tif 000003
【図２】
2007167355.tif 000004
【図３】
2007167355.tif 000005
【図４】
2007167355.tif 000006
【図５】
2007167355.tif 000007
【図６】
2007167355.tif 000008
【図７】
2007167355.tif 000009
【図８】
2007167355.tif 000010
【図９】
2007167355.tif 000011
【図１０】
2007167355.tif 000012
【図１１】
2007167355.tif 000013
【図１２】
2007167355.tif 000014